(57)【要約】【課題】重さを調整することが可能な多点支持杖を提供すること。【解決手段】多点支持杖１は、地面と接する複数の接地脚５を有する支持部２と、上部に持ち手部１０が設けられており、支持部２から立脚するシャフト部３と、下部に取り外し可能に取り付けられた一以上の重り４とを備える。重り４は、それぞれ、中心部分が穿孔されている。六角穴付きボルト１２を当該穿孔部分に貫通させて、シャフト部３の下端に重り４が取り付けられている。六角穴付きボルト１２を取り外すことによって、重り４の枚数を調整することができる。これにより、多点支持杖１の重さを調整することができる。【選択図】図１
2010057594.tif 000002
【特許請求の範囲】
【請求項１】
地面と接する複数の接地脚を有する支持部と、
上部に持ち手部が設けられており、前記支持部から立脚するシャフト部と、
下部に取り外し可能に取り付けられた一以上の重りとを備えることを特徴とする、多点支持杖。
【請求項２】
前記一以上の重りは、それぞれ、中心部分が穿孔されており、
接合部材を当該穿孔部分に貫通させて、前記シャフト部の下端に前記一以上の重りが取り付けられていることを特徴とする、請求項１に記載の多点支持杖。
【請求項３】
前記シャフト部は、
前記支持部から立脚し、前記支持部と接合している支持側シャフト部と、
前記支持側シャフト部に対して、伸縮自在に取り付けられる持ち手側シャフト部とを含み、
前記支持側シャフト部は、前記支持部との接合部分の内側に、補強用部材を有することを特徴とする、請求項１又は２に記載の多点支持杖。
【請求項４】
前記支持側シャフト部は、
出入可能なボタン部と、
前記ボタン部とは異なる位置に穿孔された支持側穴部とを含み、
前記持ち手側シャフト部は、
前記ボタン部を突出可能な大きさの複数の持ち手側穴部を含み、
前記ボタン部が任意の前記持ち手側穴部から突出した状態において、前記支持側穴部と他の前記持ち手側穴部とが貫通するように、前記支持側穴部は穿孔されており、
前記支持側穴部と他の前記持ち手側穴部とが貫通してできた穴に差し込まれる安全ピンをさらに備えることを特徴とする、請求項３に記載の多点支持杖。
【請求項５】
焼き入れ処理が施されていることを特徴とする、請求項１〜４のいずれかに記載の多点支持杖。
【請求項６】
前記一以上の重りが取り付けられた状態で自立することを特徴とする、請求項１〜５のいずれかに記載の多点支持杖。
【請求項７】
地面と接する複数の接地部を有する支持部と、上部に持ち手部が設けられており、前記支持部から立脚するシャフト部とを備える多点支持杖に取り付けられる重りであって、前記シャフト部の下部に取り外し可能に取り付けられることを特徴とする、重り。
【請求項８】
地面と接する複数の接地脚を有する支持部と、
上部に持ち手部が設けられており、前記支持部から立脚するシャフト部と、
下部に取り外し可能に一以上の重りを取り付けるための重り取り付け手段とを備えることを特徴とする、多点支持杖。
【発明の詳細な説明】
【技術分野】
【０００１】
本発明は、多点支持杖に関し、より特定的には、リハビリテーションに好適な多点支持杖に関する。
【背景技術】
【０００２】
多点支持杖として、たとえば、特許文献１に記載されているような四点杖が一般に用いられている。
【特許文献１】特開２００３−３３９８０２号公報  図１２
【発明の開示】
【発明が解決しようとする課題】
【０００３】
多点支持杖を必要とする高齢者や障害者などは、多点支持杖に対して、体重の一部をかけるので、多点支持杖は、耐久性に優れていなければならない。一方、多点支持杖自体が重くては、高齢者等が多点支持杖を操作するのが困難になる。よって、多点支持杖は、耐久性に優れるだけではなく、軽量化も図られていなければならない。
【０００４】
一般に、多点支持杖として用いられることの多い四点杖は、５００グラム〜１０００グラムの重さを有する。高齢者等にとって、数十グラムの重さの違いでも、多点支持杖が重いと感じることがあり、操作が困難になる場合がある。そのため、できるだけ軽くて耐久性に優れた多点支持杖が要求される。一方、リハビリテーションの観点から見た場合、少しでも重い多点支持杖の方が、高齢者等の筋力が強化され、歩行能力の向上に役立つ。したがって、たとえば、当初は、軽い多点支持杖を用いて、その後、徐々に重い多点支持杖を用いるというような方法によって、歩行能力を強化するといったことも可能となる。また、多点支持杖の重さを調整することができれば、高齢者等の歩行能力に応じた重さに調整して、多点支持杖を利用することができる。しかし、従来の多点支持杖は、重さの調整をすることができなかった。それゆえ、適切な重さの多点支持杖を購入するなどするしかなく、高齢者等にとっては、費用負担が大きかった。
【０００５】
それゆえ、本発明の目的は、重さを調整することが可能な多点支持杖を提供することである。
【課題を解決するための手段】
【０００６】
上記課題を解決するために、本発明は、以下のような特徴を有する。本発明は、地面と接する複数の接地脚を有する支持部と、上部に持ち手部が設けられており、支持部から立脚するシャフト部と、下部に取り外し可能に取り付けられた一以上の重りとを備える多点支持杖である。
【０００７】
これにより、重りの数を調整すれば、重さの調整が可能な多点支持杖が提供される。
【０００８】
好ましくは、一以上の重りは、それぞれ、中心部分が穿孔されており、接合部材を当該穿孔部分に貫通させて、シャフト部の下端に一以上の重りが取り付けられているとよい。
【０００９】
これにより、簡易な構造で重さ調整が可能となるので、安価に重さ調整が可能な多点支持杖が提供される。
【００１０】
好ましくは、シャフト部は、支持部から立脚し、支持部と接合している支持側シャフト部と、支持側シャフト部に対して、伸縮自在に取り付けられる持ち手側シャフト部とを含み、支持側シャフト部は、支持部との接合部分の内側に、補強用部材を有するとよい。
【００１１】
これにより、多点支持杖の強度や耐久性が向上する。
【００１２】
好ましくは、支持側シャフト部は、出入可能なボタン部と、ボタン部とは異なる位置に穿孔された支持側穴部とを含み、持ち手側シャフト部は、ボタン部を突出可能な大きさの複数の持ち手側穴部を含み、ボタン部が任意の持ち手側穴部から突出した状態において、支持側穴部と他の持ち手側穴部とが貫通するように、支持側穴部は穿孔されており、支持側穴部と他の持ち手側穴部とが貫通してできた穴に差し込まれる安全ピンをさらに備えるとよい。
【００１３】
これにより、多点支持杖の持ち手部分のぶれが防止され、安全性が向上する。
【００１４】
好ましくは、焼き入れ処理が施されているとよい。
【００１５】
これにより、多点支持杖の強度や耐久性が向上する。
【００１６】
好ましくは、一以上の重りが取り付けられた状態で多点支持杖が自立するとよい。
【００１７】
これにより、多点支持杖が倒れにくくなり、操作性や安全性が向上する。
【００１８】
本発明の他の局面は、地面と接する複数の接地部を有する支持部と、上部に持ち手部が設けられており、支持部から立脚するシャフト部とを備える多点支持杖に取り付けられる重りであって、シャフト部の下部に取り外し可能に取り付けられるとよい。
【００１９】
また、本発明の他の局面は、地面と接する複数の接地脚を有する支持部と、上部に持ち手部が設けられており、支持部から立脚するシャフト部と、下部に取り外し可能に一以上の重りを取り付けるための重り取り付け手段とを備える多点支持杖である。
【発明の効果】
【００２０】
このように、本発明によれば、重りの数を調整することによって、多端杖全体の重さを調整することができる。したがって、高齢者等の歩行能力に応じた重さに調整して、多端支持杖を利用することができる。そのため、筋力強化を目的にしたい場合、重りの数を増やして歩行能力の向上を図ることが可能である。逆に、できるだけ軽い状態にして、歩行訓練を行うことも可能である。重さの調整が可能となれば、高齢者等の歩行能力に応じて、様々な使い方が可能となる。
【００２１】
本発明のこれらおよび他の目的、特徴、局面、効果は、添付図面と照合して、以下の詳細な説明から一層明らかになるであろう。
【発明を実施するための最良の形態】
【００２２】
図１は、本発明の実施形態に係る多点支持杖１の正面図である。図２は、多点支持杖１の底面図である。図１において、多点支持杖１は、支持部２と、シャフト部３と、４つの重り４と、安全ピン１１とを備える。支持部２は、４本の接地脚５と、くの字状支持杆６と、支持板７とを含む。シャフト部３は、支持側シャフト部８と、持ち手側シャフト部９と、持ち手部１０とを含む。シャフト部３は、支持部２から立脚しており、上部が湾曲しており、湾曲した先端部分に設けられた持ち手部１０を握った者の体重を支える。持ち手部１０は、ウレタン等の柔らかい素材である。持ち手側シャフト部９は、支持側シャフト部８に対して、伸縮自在に取り付けられている。
【００２３】
支持部２は、支持板７、くの字状支持杆６、及び、地面と接する接地脚５によって、シャフト部３に加えられた体重を支える。支持板７は、支持側シャフト部８を貫通しており、支持側シャフト部８を溶接等によって接合している。くの字状支持杆６は、支持板７に溶接等によって接合している。なお、くの字状支持杆６は、支持側シャフト部８に接合されていても良い。接地脚５の先端には、滑り止めのために、樹脂製のキャップが取り付けられている。
【００２４】
図３は、重り４の斜視図である。図３に示すように、重り４は、同心円柱状であり、中心部分に穿孔４ａを有する。たとえば、重り４は、鉄などの金属製である。重り４は、複数重ねることができる。六角穴付きボルト１２は、二つのワッシャー１３で重り４をはさんで、穿孔４ａを貫通する。支持側シャフト部８の下端には、ねじ穴（図示せず）が形成されており、六角穴付きボルト１２は、重り４を支持側シャフト部８の下端に取り付ける。当該ねじ穴及び六角孔付きボルト１２が、支持側シャフト部８に重り４を取り付けるための重り取り付け手段となる。六角レンチ（図示せず）を用いて、六角穴付きボルト１２を緩めることによって、重り４は、取り外し可能に、シャフト部３の下部に取り付けられることとなる。
【００２５】
使用者は、重り４の枚数を調整して、好みの重さに調整することができる。ただし、高齢者等が、多点支持杖１が重いからという理由で、無断で重り４の数を減らしては、リハビリテーションの効果が期待できない。したがって、六角穴付きボルト１２など、特殊な工具でなければ、重り４を取り外しできないような構造にしてあることが好ましい。たとえば、六角穴付きボルト１２の代わりに、トライウイングネジや、ワンサイドネジなど、特殊な工具を用いなければ取り外しができない接合部材が用いられるとよい。なお、重り４の数は、特に限定されるものではない。また、重り４を一つも取り付けない状態で、多点支持杖１が使用されてもよい。また、重り４は、丸形に限らず、多角形や球型など、あらゆる形状であってよい。重り４は、支持側シャフト部８の下端に取り付けられているので、シャフト部３の重心よりも下方に存在することとなる。したがって、重り４を取り付けたとしても、多点支持杖１は、倒れることなく、自立することとなる。
【００２６】
図４は、持ち手側シャフト部９の正面図である。図４に示すように、持ち手側シャフト部９は、複数の持ち手側穴部９ａと、締め付け具９ｂとを含む。複数の持ち手側穴部９ａは、一定の間隔で穿孔されている。
【００２７】
図５は、持ち手側シャフト部９を抜き取ったときの多点支持杖１の正面図である。図５に示すように、支持側シャフト部８は、出入可能なボタン部８ａと、支持側穴部８ｂとを含む。ボタン部８ａは、支持側シャフト部８の内部に設けられた弾性部材（図示せず）の反発力によって、穴から突出した状態で固定されている。ボタン部８ａを押し込めば弾性部材が撓み、ボタン部８は、支持側シャフト部８の中に入る。ボタン部８ａに対する押圧力を解除すれば、ボタン部８は、元の位置に戻って、突出する。
【００２８】
ボタン部８ａ及び支持側穴部８ｂは、対向するように、二つずつ設けられている。ボタン部８ａは、先端が丸まっているので、持ち手側シャフト部９に支持側シャフト部８を挿入すると、ボタン部８ａは、支持側シャフト部８の中に入る。ボタン部８ａを、好みの位置の持ち手側穴部９ａから突出させることによって、シャフト部３を好みの長さにすることができる。ボタン部８ａは、対向するように二つ設けられているので、利き腕に応じて、持ち手部１０の向きを回転させればよい。
【００２９】
ボタン部８ａと支持側穴部８ｂとの間隔は、二つの持ち手側穴部９ａの間隔と同じである。したがって、ボタン部８ａが、最上位以外の持ち手側穴部９ａから突出した場合、支持側穴部８ｂといずれかの持ち手側穴部９ａとが貫通するようになる。この貫通した穴に、安全ピン１１が挿入される。なお、最上位以外の持ち手側穴部９ａからボタン部８ａが突出した場合、支持側穴部８ｂといずれかの持ち手側穴部９ａとが貫通するのであれば、ボタン部８ａと支持側穴部８ｂとの間隔は、図示した例に限られない。
【００３０】
図６は、安全ピン１１の斜視図である。安全ピン１１は、Ｃ字状の本体部１１ａと、ピン部１１ｂとを含む。本体部１１ａの内径は、持ち手側シャフト部９の外径と略同一か少し小さい。本体部１１ａは、可撓性の樹脂などで形成されている。ピン部１１ｂの外径は、支持側穴部８ｂ及び持ち手側穴部９ａの内径よりも略同一か少し小さい。ピン部１１ｂを支持側穴部８ｂといずれかの持ち手側穴部９ａとによって得られた貫通孔に嵌入することによって、持ち手側シャフト部９の左右方向へのぶれを防止することができる。なお、ボタン部８ａによる固定だけでも、ぶれ防止の効果が得られるが、安全ピン１１を用いることによって、ぶれ防止がより向上する。
【００３１】
図５に示すように、支持側シャフト部８は、支持部２の接合部分との内側に、補強用部材８ｃを有する。たとえば、支持側シャフト部８が管状部材である場合、支柱側シャフト部８の内径と略同一の外径を有する柱状部材や管状部材を支持側シャフト部８に嵌入して、支持側シャフト部８の強度を向上させることができる。支持側シャフト部８と支持部材２との接合部分には、特に、体重がかかるので、補強部材８ｃによって、支持側シャフト部８が接合部分を支点にして曲がるのを防止することができる。
【００３２】
支持部２、支持側シャフト部８、及び持ち手側シャフト部９は、たとえば、アルミニウムによって形成されており、軽量化が図られている。なお、支持部２、支持側シャフト部８、及び持ち手側シャフト部９の全体に焼き入れ処理が施されている。たとえば、支持部２、支持側シャフト部８、及び持ち手側シャフト部９が高温に熱せられた後、水に入れられ急激に冷まされる。この焼き入れ処理によって、多点支持杖１全体の強度や耐久性が向上する。なお、補強部材８ｃは、強度をより向上させるために、アルミニウムではなく、スチールなどの強固な材料で形成されているとよい。
【００３３】
なお、重りの取り付け位置や取り付け方法は、特に限定されるものではない。シャフト部の下部３に取り外し可能に重りが取り付けられていればよく、たとえば、図７に示すように、支持板７の上に、支持側シャフト部８を貫通するように貫通孔を有する任意の形状の重り４ｂが取り付けられても良い。また、図８に示すように、支持板７の上に、六角穴付きボルト１２ａなどの接合部材によって、任意の形状の重り４ｃが取り付けられても良い。好ましくは、重りが取り付けられた状態で多点支持杖が自立するとよい。
【００３４】
（実施例）
本発明者は、全体の材質をアルミニウムとし、補強部材８ｃをスチールとした多点支持杖１を製造した。重り４が取り付けられていない状態で、全体の重さが約５４０グラムとなった。重り４一枚当たりの重さを約５０グラムとした。この場合、４枚の重りを取り付ければ、全体の重さが約７４０グラムとなる。５枚の重りを取り付ければ全体の重さが７９０グラムとなる。全体に焼き入れ処理を施した場合、強度や耐久性には問題がなかった。また、補強部材８ｃを用いることによって、極端に重くなることもなかった。したがって、軽い状態の多点支持杖１から歩行を初めて、徐々に重り４を追加していくことによって、歩行能力の向上を図ることができることが確認された。
【００３５】
このように、本実施形態によれば、一以上の重りを取り外し可能に取り付けることができる。したがって、重さを調整することが可能な多点支持杖が提供されることとなる。また、全体が強度や耐久性を有しながらも、軽量化が図られた多点支持杖が得られるので、適宜、必要な重さに調整しながら多点支持杖を利用することができ、歩行能力向上に有用な多点支持杖が提供される。特殊な工具によってのみ、重りの取り外しを可能にすることによって、高齢者等が無断で重りを取り外すことを防止することができ、リハビリテーション効果がより向上する。補強部材を設けたり、焼き入れ処理を施したりすることによって、耐久性や安全性が向上する。安全ピンを設けることによって、持ち手部のぶれが防止できる。重りが取り付けられた状態で、多点支持杖が自立するので、安全性や操作性が向上する。
【００３６】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００３７】
本発明は、福祉機器等の分野において、有用である。
【図面の簡単な説明】
【００３８】
【図１】本発明の実施形態に係る多点支持杖１の正面図
【図２】多点支持杖１の底面図
【図３】重り４の斜視図
【図４】持ち手側シャフト部９の正面図
【図５】持ち手側シャフト部９を抜き取ったときの多点支持杖１の正面図
【図６】安全ピン１１の斜視図
【図７】重り４ｂの取り付け方を変形した多点支持杖１の正面図
【図８】重り４ｃの取り付け方を変形した多点支持杖１の正面図
【符号の説明】
【００３９】
１  多点支持杖
２  支持部
３  シャフト部
４，４ｂ，４ｃ  重り
４ａ  穿孔
５  接地脚
６  くの字状支持杆
７  支持板
８  支持側シャフト部
８ａ  ボタン部
８ｂ  支持側穴部
９  持ち手側シャフト部
９ａ  持ち手側穴部
１０  持ち手部
１１  安全ピン
１１ａ  本体部
１１ｂ  ピン部
１２  六角穴付きボルト
１３  ワッシャー
【図１】
2010057594.tif 000003
【図２】
2010057594.tif 000004
【図３】
2010057594.tif 000005
【図４】
2010057594.tif 000006
【図５】
2010057594.tif 000007
【図６】
2010057594.tif 000008
【図７】
2010057594.tif 000009
【図８】
2010057594.tif 000010